(57)【要約】【課題】メッシュからなる電極を用いたタッチパネルにおいて、複雑な電極パターンを用いずに容易に、タッチ位置の検出精度を向上させる。【解決手段】各々がメッシュからなる第１電極１８Ａ１〜１８Ａｎの中、例えば、第１電極１８Ａ１からは、これに隣接する第１電極１８Ａ２に向かって延在する第１導電性細線２０Ａ１（第１補助導線５０ａ）が突出する。一方、第１電極１８Ａ２からは、第１電極１８Ａ１に向かって延在する第１導電性細線２０Ａ２（第２補助導線５０ｂ）が突出する。第１補助導線５０ａと第２補助導線５０ｂは互いに離間して対向し、好適には、交互に配列される。【選択図】図４
2015106342.tif 000002
【特許請求の範囲】
【請求項１】
第１の主面及び第２の主面を有する基体と、前記基体の前記第１の主面に配置される第１電極パターンを備えた導電シートであって、
前記第１電極パターンは、第１導電性細線同士が交差することで形成される第１セルを複数個含む第１電極と、前記第１電極に電気的に接続された補助導線とを含み、
前記第１電極は、第１の方向に沿って延在するとともに、前記第１の方向に対して直交する第２の方向に沿って複数列が絶縁されて並列され、
且つ前記補助導線は、前記第１セルを形成する前記第１導電性細線の一部が、該第１電極に隣接する隣接列の第１電極に向かって前記第２の方向に対して斜め方向に延在した構成であり、
前記第１電極の補助導線と前記隣接列の第１電極の補助導線とが互いに絶縁されて対向することを特徴とする導電シート。
【請求項２】
請求項１記載の導電シートにおいて、前記第１電極の補助導線と前記隣接列の第１電極の補助導線とが交互に配列されていることを特徴とする導電シート。
【請求項３】
請求項１又は２記載の導電シートにおいて、前記第１電極と前記補助導線とが複数の前記第１導電性細線にて接続されていることを特徴とする導電シート。
【請求項４】
請求項１〜３のいずれか１項に記載の導電シートにおいて、前記補助導線に電気的に接続された交差導線を有し、前記第１電極の補助導線の交差導線と前記隣接列の第１電極の補助導線の交差導線とが交互に配列されていることを特徴とする導電シート。
【請求項５】
請求項４記載の導電シートにおいて、前記第１電極の補助導線及び交差導線と、前記隣接列の第１電極の補助導線及び交差導線とで、前記第１セルと同形状のダミーセルを形成することを特徴とする導電シート。
【請求項６】
請求項４記載の導電シートにおいて、前記第１電極と前記隣接列の第１電極との間にダミー線を有し、前記ダミー線と前記補助導線と交差導線とで、前記第１セルと同形状のダミーセルを形成することを特徴とする導電シート。
【請求項７】
請求項１〜３のいずれか１項に記載の導電シートにおいて、前記第１電極と前記隣接列の第１電極との間にダミー線を有し、前記ダミー線と前記補助導線とで、前記第１セルと同形状のダミーセルを形成することを特徴とする導電シート。
【請求項８】
請求項１〜７のいずれか１項に記載の導電シートにおいて、前記補助導線の延在する角度が、前記第２の方向に対して３０°〜６０°であることを特徴とする導電シート。
【請求項９】
請求項１〜８のいずれか１項に記載の導電シートにおいて、前記第１電極パターンと絶縁性材料を介して配置される第２電極パターンを備え、
前記第２電極パターンは、第２導電性細線同士が交差することで形成される第２セルを複数個含む第２電極を含み、
前記第２電極は、前記第２の方向に沿って延在するとともに、前記第１の方向に沿って複数列が絶縁されて並列されていることを特徴とする導電シート。
【請求項１０】
請求項１〜８のいずれか１項に記載の導電シートにおいて、前記基体の前記第２の主面に配置される第２電極パターンを備え、
前記第２電極パターンは、第２導電性細線同士が交差することで形成される第２セルを複数個含む第２電極を含み、
前記第２電極は、前記第２の方向に沿って延在するとともに、前記第１の方向に沿って複数列が絶縁されて並列されていることを特徴とする導電シート。
【請求項１１】
請求項１〜１０のいずれか１項に記載の導電シートを用いたタッチパネル。
【請求項１２】
請求項９又は１０記載の導電シートを用いたタッチパネルにおいて、前記第１電極が駆動電極であり、前記第２電極が検出電極であることを特徴とするタッチパネル。
【発明の詳細な説明】
【技術分野】
【０００１】
本発明は、導電性細線同士が交差することによって形成されるセルを複数個含む電極を具備する導電シート及びタッチパネルに関する。
【背景技術】
【０００２】
近年、携帯端末やコンピューターの入力装置として、タッチパネルが多く利用されている。タッチパネルは、ディスプレイの表面に配置され、指等の接触された位置を検出し、入力操作を行う。タッチパネルにおける位置検出方法として、例えば、抵抗膜方式、静電容量方式等が知られている。
【０００３】
特に最近では、マルチタッチが可能な静電容量方式が広く用いられている。相互静電容量方式は、駆動電極と検知電極とで駆動され、駆動電極が検知電極間で形成したフリンジ静電容量が指により変化するのを検知電極で検知する方法である。
【０００４】
静電容量方式のタッチパネルにおいて、最近はスタイラスペンのような先の細いものでも接触位置を検出できる高検出精度を持つものが求められている。特許文献１には、動作周波数の低下がなく、積分回数を確保できてクロストークが少なく、且つ高い検出精度を実現できる駆動電極を有するタッチパネルが開示されている。
【０００５】
静電容量方式のタッチパネルは、視認性の観点から、透明電極の材料としてＩＴＯ（酸化インジウム錫）が用いられているが、ＩＴＯが高抵抗であるため、タッチパネルの大型化が困難であった。そこで、最近は、特許文献２に開示されているように、金属細線からなる網目状電極を用いた静電容量式タッチパネルの検討が盛んに行われている。
【先行技術文献】
【特許文献】
【０００６】
【特許文献１】国際公開第２０１３／０８０６３８号パンフレット
【特許文献２】国際公開第２０１０／０１３６７９号パンフレット
【発明の概要】
【発明が解決しようとする課題】
【０００７】
しかしながら、特許文献２で開示されているような網目状電極を、特許文献１に開示されている電極パターンに適用する際には、網目の基本セル（メッシュ）設計に関して困難を窮める。特に特許文献１の図４で開示された駆動電極のパターンは複雑であり、一層の困難を窮める。
【０００８】
本発明は上記した問題を解決するためになされたもので、導電性細線からなる網目状電極を用いても、複雑な電極パターンを用いずに、タッチ位置の検出精度を向上させることが可能である導電シート及びタッチパネルを提供することを目的とする。
【課題を解決するための手段】
【０００９】
前記の目的は、以下の［１］の構成により達成される。
【００１０】
［１］  第１の主面及び第２の主面を有する基体と、基体の第１の主面に配置される第１電極パターンを備えた導電シートであって、
第１電極パターンは、第１導電性細線同士が交差することで形成される第１セルを複数個含む第１電極と、第１電極に電気的に接続された補助導線とを含み、
第１電極は、第１の方向に沿って延在するとともに、第１の方向に対して直交する第２の方向に沿って複数列が絶縁されて並列され、
且つ補助導線は、第１セルを形成する第１導電性細線の一部が、第１電極に隣接する隣接列の第１電極に向かって第２の方向に対して斜め方向に延在した構成であり、
第１電極の補助導線と隣接列の第１電極の補助導線とが互いに絶縁されて対向することを特徴とする導電シート。
【００１１】
上記した構成の第１電極パターンを有する導電シートを用いたタッチパネルでは、操作者による指の接触位置が通常ではフリンジ静電容量が形成されず検出できない第１電極間の隙間の位置であっても、当該接触位置に、第１セルを形成する第１導電性細線から延在した補助導線が存在するため、第１電極と、これに隣接する第１電極との間にフリンジ静電容量が形成され、このフリンジ静電容量を検出できる。よって、タッチ位置の検出精度が向上する。
【００１２】
［２］  第１電極の補助導線と隣接列の第１電極の補助導線とが交互に配列されていることを特徴とする［１］の導電シート。
【００１３】
換言すれば、互いに隣接する第１電極同士の間には、任意列の第１電極から突出した補助導線と、これに隣接する第１電極から突出した補助導線とが同程度均一に含まれることが好ましい。この場合、タッチ位置の検出精度が一層向上する。
【００１４】
［３］  第１電極と補助導線とが複数の第１導電性細線にて接続されていることを特徴とする［１］又は［２］の導電シート。
【００１５】
本構成において、第１電極と補助導線とが２本以上の第１導電性細線にて接続されているので、補助導線が断線する可能性を低減することができる。
【００１６】
［４］  補助導線に電気的に接続された交差導線を有し、第１電極の補助導線の交差導線と隣接列の第１電極の補助導線の交差導線とが交互に配列されていることを特徴とする［１］〜［３］の導電シート。
【００１７】
本構成においては、補助導線が交差導線を有することにより、補助導線の抵抗が小さくなり、タッチパネルの感度が向上する。さらに隣接する第１電極同士の交差導線が交互に配列されていることにより、タッチ位置の位置精度をさらに向上する。
【００１８】
［５］  第１電極の補助導線及び交差導線と、隣接列の第１電極の補助導線及び交差導線とで、第１セルと同形状のダミーセルを形成することを特徴とする［４］の導電シート。
【００１９】
［６］  第１電極と隣接列の第１電極との間にダミー線を有し、ダミー線と補助導線と交差導線とで、第１セルと同形状のダミーセルを形成することを特徴とする［４］の導電シート。
【００２０】
［７］  第１電極と隣接列の第１電極との間にダミー線を有し、ダミー線と補助導線とで、第１セルと同形状のダミーセルを形成することを特徴とする［１］〜［３］の導電シート。
【００２１】
以上の構成においては、第１電極間にダミーセルを有するので、第１電極のパターン見えを防止できる。
【００２２】
［８］  補助導線の延在する角度が、第２の方向に対して３０°〜６０°であることを特徴とする［１］〜［７］の導電シート。
【００２３】
このような角度に設定することにより、タッチ位置の位置精度をさらに向上させることができる。
【００２４】
［９］  上記第１電極パターンと絶縁性材料を介して配置される第２電極パターンを備え、上記第２電極パターンは、第２導電性細線同士が交差することで形成される第２セルを複数個含む第２電極を含み、
上記第２電極は、上記第２の方向に沿って延在するとともに、上記第１の方向に沿って複数列が絶縁されて並列されていることを特徴とする［１］〜［８］の導電シート。
【００２５】
この構成では、第１電極パターンと絶縁性材料を介して、第２電極パターンが形成される。本構成により、静電容量式タッチパネルとして有効に機能する。
【００２６】
［１０］  基体の第２の主面に配置される第２電極パターンを備え、上記第２電極パターンは、第２導電性細線同士が交差することで形成される第２セルを複数個含む第２電極を含み、
上記第２電極は、上記第２の方向に沿って延在するとともに、上記第１の方向に沿って複数列が絶縁されて並列されていることを特徴とする［１］〜［８］の導電シート。
【００２７】
第１電極パターンが形成された基体の裏側に第２電極パターンを形成してもよい。本構成により、タッチパネルの薄膜化、信頼性向上、コストダウンが可能である。
【００２８】
［１１］  また、本発明は、上記のように構成された導電シートを有する静電容量式タッチパネルである。
【００２９】
［１２］  さらに、本発明は、第１電極が駆動電極であり、第２電極が検出電極である［９］又は［１０］の導電シートを用いたタッチパネルである。
【発明の効果】
【００３０】
本発明によれば、第１導電性細線から構成された第１セルを有する第１電極間の隙間に補助導線を有する導電シートを用いることにより、タッチパネルとして通常では検出できない第１電極間の隙間の位置であっても、第１セルを形成する第１導電性細線から延在した補助導線が存在するため、第１電極と、これに隣接する第１電極との間にもフリンジ静電容量が形成され、当該フリンジ静電容量を検出できる。よって、タッチ位置の検出精度を、複雑な電極パターンを用いずに容易に向上することができる。
【００３１】
従って、本発明の導電シート及びタッチパネルを用いることにより、高位置精度を有する大型な静電容量式タッチパネルを提供できる。
【図面の簡単な説明】
【００３２】
【図１】本発明の実施の形態に係るタッチパネルを具備する表示装置の要部分解斜視図である。
【図２】前記タッチパネルを構成する導電シートの要部分解斜視図である。
【図３】前記導電シートの概略縦断面図である。
【図４】前記導電シートを構成する第１電極の要部を拡大した要部拡大平面図である。
【図５】別の第１電極の要部を拡大した要部拡大平面図である。
【図６】また別の第１電極の要部を拡大した要部拡大平面図である。
【図７】さらに別の第１電極の要部を拡大した要部拡大平面図である。
【図８】さらにまた別の前記導電シートを構成する第１電極の要部を拡大した要部拡大平面図である。
【図９】図３とは別の形態に係る導電シートの概略縦断面図である。
【発明を実施するための形態】
【００３３】
以下、本発明に係る導電シート及びタッチパネルにつき、これらを具備する表示装置との関係で好適な実施の形態を挙げ、添付の図面を参照して詳細に説明する。なお、本明細書において数値範囲を示す「〜」は、その前後に記載される数値を下限値及び上限値として含む意味として使用される。
【００３４】
図１は、本実施の形態に係る本発明の第１導電シート１０Ａを用いたタッチパネル１００を含む表示装置１０８の要部分解斜視図である。タッチパネル１００につき先ず説明すると、該タッチパネル１００は、センサ本体１０２と、図示しない制御回路（ＩＣ回路等）とを有する。
【００３５】
センサ本体１０２は、第１導電シート１０Ａと第２導電シート１０Ｂとが下方からこの順序で積層されて構成された積層導電シート１２と、第２導電シート１０Ｂ上に積層されたカバーレンズ１０６とを有する。すなわち、センサ本体１０２においては、下方から、第１導電シート１０Ａ、第２導電シート１０Ｂ、カバーレンズ１０６が積層されている。
【００３６】
センサ本体１０２（積層導電シート１２及びカバーレンズ１０６）は、表示装置１０８における表示パネル１１０上に配置され、例えば、液晶ディスプレイ等を構成する。センサ本体１０２は、上面から視認したときに、表示パネル１１０の表示画面１１０ａに対応した領域に配されたタッチ位置のセンサ部１１２と、表示パネル１１０の外周部分に対応する領域に配された端子配線部１１４（いわゆる額縁）とを有する。
【００３７】
ここで、積層導電シート１２につき、要部を拡大した図２及び図３を参照して説明する。
【００３８】
第１導電シート１０Ａは、絶縁性の第１透明基体１４Ａの一主面上に形成された第１電極１８Ａ１〜１８Ａｎを有する第１電極パターン１１６Ａを備える。第２導電シート１０Ｂも同様に、絶縁性の第２透明基体１４Ｂの一主面上に形成された第２電極１８Ｂ１〜１８Ｂｎを有する第２電極パターン１１６Ｂを備える。
【００３９】
第１透明基体１４Ａ及び第２透明基体１４Ｂの厚みは２０〜７００μｍ以下が好ましく、３０〜３００μｍが一層好ましく、４０〜２００μｍがタッチパネルの薄膜化と感度との両立の観点より特に好ましい。
【００４０】
第１透明基体１４Ａ及び第２透明基体１４Ｂとしては、プラスチックフイルム、プラスチック板、ガラス板等の絶縁性基板を挙げることができる。
【００４１】
上記プラスチックフイルム及びプラスチック板としては、例えば、ポリエチレンテレフタレート（ＰＥＴ）、ポリエチレンナフタレート（ＰＥＮ）等のポリエステル類；ポリエチレン（ＰＥ）、ポリプロピレン（ＰＰ）、ポリスチレン、ポリエチレンビニルアセテート（ＥＶＡ）等のポリオレフィン類；ビニル系樹脂；その他、ポリカーボネート（ＰＣ）、ポリアミド、ポリイミド、アクリル樹脂、トリアセチルセルロース（ＴＡＣ）、シクロオレフィンポリマー（ＣＯＰ）、環状オレフィンコポリマー（ＣＯＣ）等を用いることができる。
【００４２】
第１透明基体１４Ａ及び第２透明基体１４Ｂとしては、特に、光透過性や加工性等の観点から、ＰＥＴが好ましい。積層導電シート１２に使用される第１導電シート１０Ａ及び第２導電シート１０Ｂのような導電性フイルムは透明性が要求されるため、第１透明基体１４Ａ及び第２透明基体１４Ｂの透明度は高いことが好ましい。
【００４３】
透明基体には、必要に応じて密着性を強化する下塗り層、特定の波長の光を吸収してハレーションを防止する効果がある光学フイルタ層、帯電防止層、透過率を向上させる屈折率調整層、又は、その他の機能層を設けてもよい。
【００４４】
本実施の形態の場合、第１電極１８Ａ１〜１８Ａｎは、図２に示すように、それぞれ第１方向（ｘ方向）に延びる複数の帯状（バー形状）のパターンを有する。第１電極１８Ａ１は、第２方向（第１方向と直交する方向：ｙ方向）に向かう所定の電極幅Ｗｄを有する。
【００４５】
第１電極１８Ａ１は、銀、銅、金、アルミニウム、モリブデン等の金属又はこれらの中の１種以上を含む合金等からなる第１導電性細線２０Ａ１同士が交差することにより形成される。この交差に伴って、第１導電性細線２０Ａ１によって囲繞される空間、すなわち、第１セル２２Ａ１が複数個形成される。
【００４６】
第１導電性細線２０Ａ１は、銀、銅、金、アルミニウム等の低抵抗金属又はそれらの合金であることが好ましく、特に抵抗の観点から銀及び銀合金が好ましい。抵抗と平坦性との観点から、第１導電性細線２０Ａ１の膜厚は０．１μｍ〜３μｍが好ましい。
【００４７】
また、第１導電性細線２０Ａ上に、有機材料又は無機材料からなる保護膜を有してもよい。有機材料としては、アクリル樹脂、ゼラチン等が挙げられ、無機材料としては、シリコン酸化膜、シリコン窒化膜、アルミニウム酸化膜等が挙げられる。このような保護膜は、第１導電性細線２０Ａの酸化防止、マイグレーション防止等の効果を持つ。
【００４８】
さらに、第１導電性細線２０Ａ上又は側面に黒化層を有してもよい。黒化層を設けることにより、第１導電性細線２０Ａに反射率の高い金属を用いても、細線見えを抑制できる効果が得られる。黒化膜としては、金属酸化膜、金属硫化膜、クロム、カーボン等が使用できる。
【００４９】
第１セル２２Ａ１の形状は、特に限定されないが、正方形、菱形、正六角形が好ましい。その中でも、第１セル２２Ａ１は、図４にも示すように、菱形が特に好ましい。すなわち、第１電極１８Ａ１は、菱形をなす第１セル２２Ａ１が複数個連なったメッシュ形状で形成されている。
【００５０】
第１セル２２Ａ１の開口率（セルに占める開口部の面積割合）は、導電シートの透過率が高くなることから、大きい程好ましいが、その分、第１電極のシート抵抗が高くなる。従って、好ましい開口率の範囲は、９２％〜９９％である。また、好ましい第１電極のシート抵抗としては１００Ω／□以下であり、より好ましくは５０Ω／□以下である。導電シートの透過率としては、８０％以上であり、特に８５％以上であることが好ましい。
【００５１】
第１導電性細線２０Ａ１の幅方向寸法（線幅）は２０μｍ以下であり、より好ましくは１μｍ以上５μｍ以下であり、一層好ましくは１μｍ以上３μｍ以下に設定される。これにより第１導電性細線２０Ａ１による導電パターンのモアレ及び細線見えが改善され、視認性が良好となる（すなわち、第１電極１８Ａ１をなす第１導電性細線２０Ａ１が視認され難くなる）。なお、タッチパネル１００の検出感度を確保するべく、第１導電性細線２０Ａ１の線幅は１μｍ以上であることが好ましい。
【００５２】
第１セル２２Ａ１は、表示装置の画素とのモアレ低減の観点から、２つの鈍角と２つの鋭角を有する菱形形状をなすことが特に好ましい。すなわち、対角関係にある鈍角の交差角度α１は９０°超の同一角度であり、鋭角の交差角度β１は９０°未満の同一角度である。なお、図４ではｙ方向の菱形の角度をα１、ｘ方向の菱形の角度をβ１としたが、これはもちろん逆の場合でもよい。
【００５３】
鋭角をなす交差角度β１は、８０°以下であることが好ましい。この場合、モアレを低減するのに有効である。ただし、鋭角が過度に小さい場合にもモアレが発生し易くなる。これを回避するべく、交差角度β１は４５°〜８０°の範囲内、さらには６０°〜８０°の範囲内とすることがモアレを低減するのに有効であるので好ましい。
【００５４】
さらに、隣接する第１セル２２Ａ１、２２Ａ１同士の間隔、すなわち、１個の第１セル２２Ａ１の内方から隣接する第１セル２２Ａ１の外方までの距離であるセルピッチＰ（隣接セルの重心間距離）は、５０μｍ〜１０００μｍであることが好ましい。セルピッチＰをこのように設定することにより、モアレ及び細線見えを低減するのに有効である。セルピッチＰの一層好ましい範囲は、１００μｍ〜５００μｍである。
【００５５】
残余の第１電極１８Ａ２〜１８Ａｎも、第１導電性細線２０Ａ２〜２０Ａｎから形成された第１セル２２Ａ２〜２２Ａｎによって第１電極１８Ａ１と同様に構成されている。すなわち、第１透明基体１４Ａの一主面には、第１セル２２Ａ１〜２２Ａｎの各々が複数個連なることによって構成されたｎ列（複数列）のメッシュ形状を有する第１電極１８Ａ１〜１８Ａｎが第２方向に沿って絶縁され並列配置されている（図２参照）。
【００５６】
図４は、第１電極１８Ａ１〜１８Ａｎの中、互いに隣接する第１電極１８Ａ１、１８Ａ２のみを示した要部拡大平面図である。なお、第１電極１８Ａ１、１８Ａ２の区別を容易にするべく、第１電極１８Ａ１を太実線で表すとともに、第１電極１８Ａ２を細実線で表している。また、第１電極１８Ａ１の第１電極１８Ａ２側終端の位置、第１電極１８Ａ２の第１電極１８Ａ１側起端位置の把握を容易にするべく、図４中に２本の仮想線を示しているが、実際の第１電極１８Ａ１、１８Ａ２に、そのような線は存在しない。
【００５７】
第１電極１８Ａ１、１８Ａ２は、それぞれ、上記したように複数個の第１セル２２Ａ１、２２Ａ２が連なることにより、それぞれメッシュ状の電極として形成されている。そして、一列目の第１電極１８Ａ１からは第１導電性細線２０Ａ１が突出しており第１補助導線５０ａを形成している。第１補助導線５０ａは、二列目の第１電極１８Ａ２に指向して第２方向に対して斜めに延在している。一方、二列目の第１電極１８Ａ２からは第１導電性細線２０Ａ２が突出し、第２補助導線５０ｂを形成している。第２補助導線５０ｂは、一列目の第１電極１８Ａ１に指向し第２方向に対して斜めに延在する。
【００５８】
一層詳細には、第１電極１８Ａ１（一列目の第１電極）から突出した第１補助導線５０ａは、第１セル２２Ａ１の菱形の一辺から突出したものであり、第１電極１８Ａ２（二列目の第１電極）をなす第１セル２２Ａ２の菱形の一辺に向かって延在している。ただし、第１補助導線５０ａは、第１電極１８Ａ２の第１セル２２Ａ２には到達しておらず、所定の間隔で離間され絶縁されている。
【００５９】
第１電極１８Ａ２（二列目の第１電極）から突出した第２補助導線５０ｂもまた、第１セル２２Ａ２の菱形の一辺から突出したものである。そして、第１セル２２Ａ２から突出した第２補助導線５０ｂは、第１電極１８Ａ１（一列目の第１電極）をなす第１セル２２Ａ１の菱形の一辺に向かって延在する。上記と同様に、第２補助導線５０ｂは、第１電極１８Ａ１の第１セル２２Ａ１には到達しておらず、所定の間隔で離間され絶縁されている。
【００６０】
第１補助導線５０ａと、これに隣接する第２補助導線５０ｂとは、短絡を回避するべく所定間隔で離間し、且つ平行関係にあることが好ましい。
【００６１】
さらに、第１補助導線５０ａには、該第１補助導線５０ａの延在方向とは別の方向に延在する第１交差導線５２ａが交差する。第１交差導線５２ａは、第２補助導線５０ｂに接触することを回避するべく、第２補助導線５０ｂに交差する箇所（断線部）で切断されている。
【００６２】
その一方で、第２補助導線５０ｂには、該第２補助導線５０ｂの延在方向とは別の方向に延在する第２交差導線５２ｂが交差する。第２交差導線５２ｂは、第１補助導線５０ａに接触することを回避するべく、第１補助導線５０ａに交差する箇所（断線部）で切断されている。なお、第１交差導線５２ａと第２交差導線５２ｂとは図４のように交互に配置されていることが、タッチパネルの位置精度向上の観点より好ましい。さらには、第１交差導線５２ａと第２交差導線５２ｂとの絶縁性を確保する観点から、平行位置に設置することが好ましい。
【００６３】
なお、断線部の長さは５〜５０μｍが好ましく、１０〜３０μｍが絶縁性と視認性の両立の観点から特に好ましい。断線部の長さが５μｍ未満だと絶縁性に問題が生じ、５０μｍを超えると、断線部が認識されやすくなるという問題が顕著に生じる。
【００６４】
断線部は、絶縁させる目的であれば設ける場所は特に規定はなく、交差部や線の中点に設けてもよい。ただし、断線部が一直線に並ぶと断線部が見え易くなり視認性の点で問題が生じる。よって、断線部は、図４のように一直線にならないように設けるのが好ましい。
【００６５】
第１補助導線５０ａ、第１交差導線５２ａ、第２補助導線５０ｂと第２交差導線５２ｂとで断線部を有するダミーセル５３Ａとを形成する。ここで、ダミーセル５３Ａは、第１セル２２Ａ１、２２Ａ２と同形状である。同形状とは、断線部を外挿したダミーセル５３Ａが第１セル２２Ａ１、２２Ａ２とが同一の形状（セルの辺の長さと角度が同じ）であることを意味する。本構成をとることにより、第１電極のパターン見えを抑制できる。
【００６６】
第１補助導線５０ａの延在する方向と第１方向となす角度θ（鋭角の方をとる）は、２０°〜７０°が好ましい。角度が小さいとタッチパネルの位置精度が悪くなり、角度が大きくなると第１補助導線５０ａが長くなって抵抗が高くなり、タッチパネル１００の感度が悪化する。以上の点を考慮して検討した結果、角度θは、特に３０°〜６０°がタッチパネルの位置精度と感度とが両立して顕著に向上できる点でより好ましい。
【００６７】
第１補助導線５０ａと第１電極１８Ａ１とは、図４中に参照符号６０として示されるように、２本の第１導電性細線２０Ａ１で接続されている。複数の第１導電性細線２０Ａ１で接続するのは、断線に対しての冗長性が増すので好ましい。第２補助導線５０ｂと第１電極１８Ａ２も同様に、２本の第１導電性細線２０Ａ２で接続されている。
【００６８】
第１補助導線５０ａと第１交差導線５２ａとの交差箇所は、第２補助導線５０ｂと第２交差導線５２ｂとの４個の交差箇所に囲繞される位置となる。また、第２補助導線５０ｂと第２交差導線５２ｂとの交差箇所は、第１補助導線５０ａと第１交差導線５２ａとの４個の交差箇所に囲繞される位置となる。
【００６９】
第１補助導線５０ａと第１交差導線５２ａの鈍角の交差角度α２、鋭角の交差角度β２は、第１セル２２Ａ１、２２Ａ２における鈍角の交差角度α１、鋭角の交差角度β１に等しく設定されていることが好ましい。同様に、第２補助導線５０ｂと第２交差導線５２ｂの鈍角の交差角度α３、鋭角の交差角度β３は、第１セル２２Ａ１、２２Ａ２における鈍角の交差角度α１、鋭角の交差角度β１に等しく設定されていることが好ましい。すなわち、下記の関係が成立する。
α１＝α２＝α３
β１＝β２＝β３
【００７０】
第１補助導線５０ａは、例えば、第１電極１８Ａ１を形成する際、第１導電性細線２０Ａ１を、第１セル２２Ａ１の一辺から連続して延在させることで形成することができる。また、第１交差導線５２ａは、例えば、第１電極１８Ａ１を形成する際、第１導電性細線２０Ａ１を、第１セル２２Ａ１の一辺から断続的に延在させることで形成することができる。
【００７１】
同様に、第２補助導線５０ｂは、例えば、第１電極１８Ａ２を形成する際、第１導電性細線２０Ａ２を、第１セル２２Ａ２の一辺から連続して延在させることで形成することができ、第２交差導線５２ｂは、例えば、第１電極１８Ａ２を形成する際、第１導電性細線２０Ａ２を、第１セル２２Ａ２の一辺から断続的に延在させることで形成することができる。
【００７２】
上記のようにすることにより第１補助導線５０ａ、第２補助導線５０ｂ、第１交差導線５２ａ及び第２交差導線５２ｂを効率よく形成することが可能となるが、これらの線５０ａ、５０ｂ、５２ａ、５２ｂを、第１電極１８Ａ１、１８Ａ２とは別個に形成するようにしてもよいことは勿論である。
【００７３】
第１電極１８Ａ１〜１８Ａｎの電極幅（図２中の矢印ｙ方向に沿う幅方向寸法）Ｗｄと、隣接する第１電極同士の間の間隔幅Ｗｋとの関係は、（１／２）×Ｗｄ≦Ｗｋ≦Ｗｄとなる関係であるのがタッチパネルの位置精度をより高くできるので、好ましい。なお、Ｗｄの好ましい範囲は３〜６ｍｍである。
【００７４】
詳細な図示は省略するが、第１電極１８Ａ２と、これに隣接する第１電極１８Ａ３との間も同様に構成されている（図２参照）。残余の互いに隣接する第１電極同士の間も同様である。
【００７５】
図２に示すように、第１電極１８Ａ１〜１８Ａｎの各々の一方の端部は、第１結線部４０ａを介して、第１導電性細線２０Ａ１〜２０Ａｎによる第１端子配線パターン４２ａに電気的に接続されている。
【００７６】
第１結線部４０ａ、第１端子配線パターン４２ａは、第１導電性細線２０Ａ１〜２０Ａｎと同じ材料で第１電極１８Ａ１〜１８Ａｎと同時形成することが好ましい。この構成により、工程が省略できる。
【００７７】
第１導電シート１０Ａの第１電極パターン１１６Ａの他の実施形態を、図５〜図８に示す。先ず、図５は、第１電極間１８Ａ１、１８Ａ２間に、これら第１電極間１８Ａ１、１８Ａ２と電気的に絶縁されたダミー線７０を有する構成である。ダミー線７０は、第１補助導線５０ａ、第２補助導線５０ｂとともに、断線部を有するダミーセル５３Ｂを形成する。ここで、ダミーセル５３Ｂは、第１セル２２Ａ１、２２Ａ２と同形状である。同形状とは、断線部を外挿したダミーセル５３Ｂが第１セル２２Ａ１、２２Ａ２とが同一の形状であることを意味する。本構成をとることにより、第１電極１８Ａ１、１８Ａ２のパターン見えを抑制できる。
【００７８】
図６は、第１補助導線５０ａ、第２補助導線５０ｂがそれぞれ２本の補助導線で一対になった形状である。図６の２本の補助導線で一対になった第１補助導線５０ａ対、第２補助導線５０ｂ対はそれぞれ内部に電気的に接続された第１交差導線５２ａ及び第２交差導線５２ｂを有する。本構成を用いることにより、補助導線は電気経路が増えるため、図４の構成に比べ補助導線が断線する可能性を減らすことができる。また補助導線の抵抗も下げることも可能となり、タッチパネルの感度も向上する。
【００７９】
図４〜図６では、第１補助導線５０ａ、第２補助導線５０ｂが一直線形状であるが、図７のように屈折部を有する、いわゆるジグザク形状の直線でもよい。なお、このときの角度θは、図７に示すように第１補助導線５０ａ、第２補助導線５０ｂの開始点と終了点とを結ぶ直線との角度である。また、図７はダミー線７０も有する構成であり、ダミー線７０、第１補助導線５０ａ、第２補助導線５０ｂ及び第１交差導線５２ａ、第２交差導線５２ｂにてダミーセル５３Ｂを形成している。
【００８０】
図４〜図７ではセルが菱形であったが、図８のようにセルは正六角形であってもよい。なお、このときの角度θは、図８に示すように第１補助導線５０ａ、第２補助導線５０ｂの開始点と、第１電極１８Ａ１の延在方向とがなす角度である。
【００８１】
一方、第２導電シート１０Ｂを構成する第２透明基体１４Ｂ（図３参照）の一主面上に形成された第２電極１８Ｂ１〜１８Ｂｎは、図２に示すように、それぞれ第２方向（ｙ方向）に延びる複数の帯状（バー形状）のパターンを有する。これら複数の第２電極１８Ｂ１〜１８Ｂｎは、第１方向（ｘ方向）に沿って配列されている。すなわち、積層導電シート１２では、図３に示すように、絶縁性の第１透明基体１４Ａを介して第１電極１８Ａ１〜１８Ａｎと第２電極１８Ｂ１〜１８Ｂｎが対向する。
【００８２】
第２電極１８Ｂ１〜１８Ｂｎの各々は、特に限定はないが、第１電極１８Ａ１〜１８Ａｎと同様に、第２導電性細線２０Ｂ同士が交差することにより形成されることが好ましい。この交差に伴って、第２導電性細線２０Ｂによって囲繞される空間、すなわち、第２セル２２Ｂ１〜２２Ｂｎが形成される。
【００８３】
第２セル２２Ｂ１〜２２Ｂｎの形状は特に限定はなく、正方形、菱形、正六角形が好ましく、ランダム形状でもよい。その中でも、第２セル２２Ｂ１〜２２Ｂｎは、第１セル２２Ａ１〜２２Ａｎと略同一形状・寸法であることが特に好ましく、第１セル２２Ａ１〜２２Ａｎと同様に菱形が特に好ましい。すなわち、第２電極１８Ｂ１〜１８Ｂｎは、それぞれ、菱形をなす第２セル２２Ｂ１〜２２Ｂｎが複数個連なったメッシュ形成で構成されている。そして、ｎ列（複数列）の第２電極１８Ｂ１〜１８Ｂｎが第１方向に沿って絶縁され並列配置される。
【００８４】
第２導電性細線２０Ｂ１は、第１導電性細線２０Ａ１と同様に、銀、銅、金、アルミニウム等の低抵抗金属又はそれらの合金であることが好ましく、特に抵抗の観点から銀及び銀合金が好ましい。抵抗と平坦性との観点から、第２導電性細線２０Ｂ１の膜厚は、０．１μｍ〜３μｍが好ましい。
【００８５】
また、第２導電性細線２０Ｂ１上に保護膜を有してもよい。保護膜は、第２導電性細線２０Ｂ１の酸化防止、マイグレーション防止等の効果を持つ。
【００８６】
さらに、第２導電性細線２０Ｂ１上又は側面に黒化層を有してもよい。黒化層を設けることにより、第２導電性細線２０Ｂ１として反射率の高い金属を用いても、細線見えを抑制できる効果が得られる。黒化膜としては、金属酸化膜、金属硫化膜、クロム、カーボン等が使用できる。
【００８７】
第２セル２２Ｂ１の開口率は、第２導電シート１０Ｂの透過率が高くなることから、大きい程好ましいが、その分、第２電極のシート抵抗が高くなる。従って、好ましい開口率の範囲は９２％〜９９％である。また、好ましい第２電極のシート抵抗は１００Ω／□以下であり、より好ましくは５０Ω／□以下である。第２導電シート１０Ｂの透過率としては、８０％以上であり、特に８５％以上であることが好ましい。
【００８８】
第２導電性細線２０Ｂ１の幅方向寸法（線幅）は２０μｍ以下であり、より好ましくは１μｍ以上５μｍ以下であり、一層好ましくは１μｍ以上３μｍ以下に設定される。これにより第２導電性細線２０Ｂ１による導電パターンのモアレ及び細線見えが改善され、視認性が良好となる（すなわち、第２電極１８Ｂ１をなす第２導電性細線２０Ｂ１が視認され難くなる）。なお、タッチパネル１００の検出感度を確保するべく、第２導電性細線２０Ｂ１の線幅は１μｍ以上であることが好ましい。
【００８９】
第２セル２２Ｂ１〜２２Ｂｎにおける鈍角の交差角度、鋭角の交差角度、第２導電性細線２０Ｂ１〜２０Ｂｎの線幅、第２セル２２Ｂ１〜２２Ｂｎの中で隣接する第２セル同士のセルピッチ等も、第１セル２２Ａ１〜２２Ａｎと同様に設定すればよい。
【００９０】
また、第２電極１８Ｂ１〜１８Ｂｎ中の互いに隣接するもの同士の間に、絶縁されたダミー線を設けることが好ましい。ダミー線は、断線部を有するダミーセルを形成し、ダミーセルはダミーセル５３Ｂと同様に第２セル２２Ｂと同形状である。
【００９１】
第１セル２２Ａ１〜２２Ａｎと第２セル２２Ｂ１〜２２Ｂｎとが同一形状である場合、第１導電シート１０Ａと第２導電シート１０Ｂとを積層するときに、第１セル２２Ａ１〜２２Ａｎと第２セル２２Ｂ１〜２２Ｂｎとを１／２ピッチずらして重ねる（第１セル２２Ａ１〜２２Ａｎの中心部に第２セル２２Ｂ１〜２２Ｂｎの頂点を合わせる）ことが好ましい。こうすることにより、積層導電シート１２が均一の単一メッシュ形状となり、細線見えを防止できる。
【００９２】
なお、この際には、第１導電シート１０Ａと第２導電シート１０Ｂとのそれぞれの断線部をセルの辺の中点に設けることが好ましい。このようにすることにより、断線部が見え難くなるからである。
【００９３】
第２電極１８Ｂ１〜１８Ｂｎの電極幅（図２中の矢印ｘ方向に沿う幅方向寸法）Ｗｓは、第１電極１８Ａ１〜１８Ａｎの電極幅（図２中の矢印ｙ方向に沿う幅方向寸法）Ｗｄに比して小さく設定することがタッチパネルの感度の点で好ましいが、電極幅Ｗｄと電極幅Ｗｓを略同等とするようにしてもよい。また、第２電極１８Ｂ１〜１８Ｂｎは、特開２０１３−１４９２３６号公報の図５、図１２に開示されているような電極の内部に開口部（絶縁部）を有する形状であってもよい。このような形状の第２電極１８Ｂ１〜１８Ｂｎを用いることにより、タッチパネルの感度をより向上させることが可能である。
【００９４】
図２に示すように、第２電極１８Ｂ１の一方の端部は、第２結線部４０ｂを介して第２導電性細線２０Ｂ１による第２端子配線パターン４２ｂに電気的に接続されている。第２結線部４０ｂ、第２端子配線パターン４２ｂは、第２導電性細線２０Ｂ１と同じ材料で第２電極１８Ｂ１〜１８Ｂｎと同時形成することが好ましい。この構成により、工程が省略できる。
【００９５】
図１の例では、端子配線部１１４のうち、第１導電シート１０Ａの一方の長辺側の周縁部には、その長さ方向中央部分に、複数の第１端子１１６ａが前記一方の長辺の長さ方向に配列形成されている。また、センサ部１１２の一方の短辺（ｙ方向）に沿って複数の第１結線部４０ａの一部（例えば奇数番目）が直線状に配列され、センサ部１１２の他方の短辺（ｙ方向）に沿って複数の第１結線部４０ａの一部（例えば偶数番目）が直線状に配列されている。
【００９６】
一方、第２導電シート１０Ｂの外形は、上面から見て長方形状を有し、センサ部１１２の外形も長方形状を有する。端子配線部１１４のうち、第２導電シート１０Ｂの一方の長辺側の周縁部には、その長さ方向中央部分に、複数の第２端子１１６ｂが前記一方の長辺の長さ方向に配列形成されている。また、センサ部１１２の一方の長辺（ｘ方向）に沿って複数の第２結線部４０ｂが直線状に配列されている。各第２結線部４０ｂから導出された第２端子配線パターン４２ｂは、第２導電シート１０Ｂの一方の長辺における略中央部に向かって引き回され、それぞれ対応する第２端子１１６ｂに電気的に接続されている。
【００９７】
なお、第１端子配線パターン４２ａの導出形態を上述した第２端子配線パターン４２ｂと同様にしてもよいし、逆に、第２端子配線パターン４２ｂの導出形態を上述した第１端子配線パターン４２ａと同様にしてもよい。
【００９８】
タッチパネル１００の端子配線部１１４のエリアは小さくすることが求められており、このため、第１端子配線パターン４２ａと第２端子配線パターン４２ｂとにおける最小線幅（ライン）及び最小線間（スペース）は５〜５０μｍであることが好ましい。
【００９９】
積層導電シート１２は、図３に示すように、第１導電シート１０Ａに第２導電シート１０Ｂが積層されて構成される。この際、第１導電シート１０Ａの上端面（すなわち、第１電極１８Ａ１〜１８Ａｎ及び第１透明基体１４Ａ上）と、第２導電シート１０Ｂの下端面との間には、接着剤として絶縁性の光学粘着シート（ＯＣＡとも指称される）３０が配置される。ＯＣＡ３０としては、厚さ１０〜２００μｍのものが好ましく使用される。また、ＯＣＡ３０の具体例としては、３Ｍ社製ＯＣＡテープ＃８１４６等が挙げられる。
【０１００】
積層導電シート１２のセンサ部１１２の好ましい透過率としては、７０％以上であり、特に８０％以上であることが好ましく、ヘイズとして５．０％以下であり、特に２．０％以下であることが好ましい。
【０１０１】
以上のように構成される第１電極１８Ａ１〜１８Ａｎ、第２電極１８Ｂ１〜１８Ｂｎを含んだ積層導電シート１２をタッチパネル１００として使用する場合、第２導電シート１０Ｂ上にカバーレンズ１０６を形成する。カバーレンズ１０６としては、化学強化ガラス等の透明ガラス基板、サファイア基板、ＰＭＭＡやＰＣ等の透明プラスチック基板が使用される。タッチパネルの感度の観点により、カバーレンズ１０６の厚さは、０．１〜１．１ｍｍが好ましい。なお、カバーレンズ１０６には、ブラックインク等で非表示部位置に加飾層を設けてもよい。
【０１０２】
第２導電シート１０Ｂの上端面とカバーレンズ１０６の下端面との間にも、接着剤として光学粘着シート（ＯＣＡ）３０が配置される。そして、第１導電シート１０Ａの多数の第１電極１８Ａ１〜１８Ａｎから導出された第１端子配線パターン４２ａと、第２導電シート１０Ｂの多数の第２電極１８Ｂ１〜１８Ｂｎから導出された第２端子配線パターン４２ｂとを、第１電極１８Ａ１〜１８Ａｎが駆動電極、第２電極１８Ｂ１〜１８Ｂｎが検出電極として機能するように、スキャンをコントロールする制御回路に接続する。
【０１０３】
操作者は、このようにして形成された積層導電シート１２を含むタッチパネル１００に対して操作指示を与える際、該タッチパネル１００の所定位置を、カバーレンズ１０６上から指で接触する。
【０１０４】
ここで、従来技術に係るタッチパネルでは、例えば、第１電極１８Ａ１、１８Ａ２との間に補助導線が存在しない。従って、接触箇所が、第１電極１８Ａ１、１８Ａ２との間である場合、当該接触箇所では駆動電極である第１電極からのフリンジ静電容量は形成されず感知ができない。このような場合、接触がなされたにも関わらず、「接触がなされていない」と認識されたり、又は、別の箇所が接触されたと認識されたりし、その結果、操作者の意図する位置に接触する動作ができなかった。
【０１０５】
これに対し、本実施の形態においては、上記したように、第１導電シート１０Ａにおいて、第１電極１８Ａ１〜１８Ａｎ中の互いに隣接するもの同士の間に、第１補助導線５０ａ、第２補助導線５０ｂ、第１交差導線５２ａ及び第２交差導線５２ｂが形成されている（図２及び図４参照）。このため、接触箇所が、第１電極１８Ａ１〜１８Ａｎ中の互いに隣接するもの同士の間であったときでも、例えば、第１電極１８Ａ１と電気的に接続された第１補助導線５０ａ及び第１交差導線５２ａからと、隣接する第１電極１８Ａ２に接続された第２補助導線５０ｂ及び第２交差導線５２ｂからでフリンジ静電容量を形成し、その変化を検知することにより接触を検知できる。その第１補助導線５０ａ及び第１交差導線５２ａからと、第２補助導線５０ｂ及び第２交差導線５２ｂからのフリンジ静電容量は電気的に接続された第１電極１８Ａ１と隣接した第１電極１８Ａ２で形成され、その静電容量変化（接触）は、第１電極１８Ａ１、及びこれに隣接する第１電極１８Ａ２のどちらで駆動しても検出できる。勿論、第１電極１８Ａ２と第１電極１８Ａ３の間等、残余の隣接するもの同士の間でも同様の現象が生じる。
【０１０６】
本発明の積層導電シート１２を用いたタッチパネル１００により、従来検出できなかった第１電極間の隙間まで検出できるようになったため、タッチ位置の位置精度を高精度にできる。
【０１０７】
第１電極１８Ａ１〜１８Ａｎ、第１補助導線５０ａ、第２補助導線５０ｂ、第１交差導線５２ａ、第２交差導線５２ｂ、及び第２電極１８Ｂ１〜１８Ｂｎは、線幅の狭いパターンを得るために、好適にはフォトリソ・エッチング法、基板上に溝を有する樹脂を形成しその溝に導電インクを塗布する方法、マイクロコンタクト印刷パターニング法又は銀塩法によって形成することができる。その中でも、工程が簡易にできる銀塩法がより好ましい。
【０１０８】
マイクロコンタクト印刷パターニング法は、特表２０１２−５１９３２９号公報の段落［０１０４］に詳述されている。
【０１０９】
一方、銀塩法は、感光性銀塩含有層を有する感光材料を露光・現像することにより、メッシュ状をなす第１導電性細線２０Ａ１〜２０Ａｎ、第２導電性細線２０Ｂ１〜２０Ｂｎのパターンを得るものである。その具体的な作業等は、特開２００９−４３４８号公報の段落［０１６３］〜［０２８０］に詳述されている。
【０１１０】
本発明は、上記した実施の形態に特に限定されるものではなく、本発明の主旨を逸脱しない範囲で種々の変更が可能である。
【０１１１】
タッチパネルの感度の観点から上記した実施の形態が好ましいが、例えば、この実施の形態の図１及び図３の第１導電シート１０Ａと第２導電シート１０Ｂとの位置関係を変え、上（操作者）からカバーレンズ１０６／第１導電シート１０Ａ／第２導電シート１０Ｂの順に積層されたタッチパネルを構成するようにしてもよい。
【０１１２】
また、図３では、第１導電シート１０Ａの第１導電性細線２０Ａ１面上に絶縁性の接着剤（ＯＣＡ）を設けて第２導電シート１０Ｂの第２透明基体１４Ｂ面と貼り合わせる構成であるが、第１導電性細線２０Ａ１面と第２導電性細線２０Ｂ１面とを絶縁性の接着剤（ＯＣＡ）で貼り合わせる構成、第１透明基体１４Ａ面と第２透明基体１４Ｂ面とを絶縁性の接着剤（ＯＣＡ）で貼り合わせる構成でもよい。
【０１１３】
さらに、第２透明基体１４Ｂを用いず、第１導電性細線２０Ａ１面上に絶縁膜を形成し、その絶縁膜上に第２導電性細線２０Ｂ１を形成する構成でもよい。すなわち、第１電極パターン１１６Ａと第２電極パターン１１６Ｂとが絶縁性の材料を介して対向する構成であればよい。
【０１１４】
さらにまた、第１電極及び第２電極の双方を、図４に示すパターンとしてもよい。すなわち、この場合、第１電極及び第２電極の双方において、隣接する電極同士の間に、第１補助導線５０ａ、第２補助導線５０ｂ、第１交差導線５２ａ及び第２交差導線５２ｂが形成される。
【０１１５】
さらに、第１電極パターンにおける隣接する第１電極同士の間の全てに第１補助導線５０ａ、第２補助導線５０ｂ、第１交差導線５２ａ及び第２交差導線５２ｂを形成する必要は特になく、少なくとも、任意の一列（任意列）の第１電極と、これに隣接する列（隣接列）の第１電極の間に形成すればよい。
【０１１６】
また、第１補助導線５０ａ、第２補助導線５０ｂ、第１交差導線５２ａ及び第２交差導線５２ｂの全てを形成する必要も特になく、第１補助導線５０ａ及び第２補助導線５０ｂのみで本発明の効果は生じる。
【０１１７】
上述のように電極間の間にダミー線を有する構成でもあってもよい。
【０１１８】
そして、積層導電シート１２は、第１透明基体１４Ａの一主面に第１電極１８Ａ１〜１８Ａｎを形成し、第２透明基体１４Ｂの一主面に第２電極１８Ｂ１〜１８Ｂｎを形成して積層するもの（図２及び図３参照）に限定されるものではない。すなわち、図９に示すように、第１透明基体１４Ａの一主面に第１電極１８Ａ１〜１８Ａｎが形成され、且つ該第１透明基体１４Ａの他主面に第２電極１８Ｂ１〜１８Ｂｎが形成されたものであってもよい。この場合、第２透明基体１４Ｂが存在せず、第２電極１８Ｂ１〜１８Ｂｎ上に第１透明基体１４Ａが積層され、第１透明基体１４Ａ上に第１電極１８Ａ１〜１８Ａｎが積層された形態となる。
【０１１９】
本構成の積層導電シート１２を用いることにより、タッチパネルの薄型化及び低コスト化、高信頼性化が実現できるため、タッチパネルには好適である。なお、本構成の積層導電シート１２は、例えば、特開２０１２−６３７７号公報の実施例に開示されている方法を用いて製造できる。
【０１２０】
このとき、カバーレンズ１０６は、第２電極１８Ｂ１〜１８Ｂｎ上にＯＣＡを用いて貼り付けられタッチパネル１００として構成される。もちろん、カバーレンズ１０６は、第１電極１８Ａ１〜１８Ａｎ上にＯＣＡを用いて貼り付けられる構成でもよいが、タッチパネルの感度の観点から、カバーレンズ１０６は、第２電極１８Ｂ１〜１８Ｂｎ上にＯＣＡを用いて貼り付けられる構成の方がより好適である。
【０１２１】
本発明の効果が顕著に生じるのは、本実施の形態で示したように、第１電極及び第２電極がバー形状（帯状）のものであったが、勿論、菱形の感知電極を有するダイヤモンドパターン形状、その他の公知の電極パターン形状であっても適応できる。
【０１２２】
また、本実施の形態では、接着剤として、光学粘着シート（ＯＣＡ３０）を用いて説明したが、他の粘着剤、例えば、紫外線で硬化する透明粘着液（ＯＣＲ）等を用いることもできる。
【符号の説明】
【０１２３】
１０Ａ…第１導電シート                １０Ｂ…第２導電シート
１２…積層導電シート（導電シート）    １４Ａ…第１透明基体
１４Ｂ…第２透明基体                  １８Ａ１〜１８Ａｎ…第１電極
１８Ｂ１〜１８Ｂｎ…第２電極          ２０Ａ１〜２０Ａｎ…第１導電性細線
２０Ｂ１〜２０Ｂｎ…第２導電性細線    ２２Ａ１〜２２Ａｎ…第１セル
２２Ｂ１〜２２Ｂｎ…第２セル          ３０…接着剤（ＯＣＡ）
５０ａ…第１補助導線                  ５０ｂ…第２補助導線
５２ａ…第１交差導線                  ５２ｂ…第２交差導線
５３Ａ、５３Ｂ…ダミーセル            ７０…ダミー線
１００…タッチパネル                  １０２…センサ本体
１０６…カバーレンズ                  １０８…表示装置
１１０…表示パネル                    １１２…センサ部
１１６Ａ…第１電極パターン            １１６Ｂ…第２電極パターン
【図１】
2015106342.tif 000003
【図２】
2015106342.tif 000004
【図３】
2015106342.tif 000005
【図４】
2015106342.tif 000006
【図５】
2015106342.tif 000007
【図６】
2015106342.tif 000008
【図７】
2015106342.tif 000009
【図８】
2015106342.tif 000010
【図９】
2015106342.tif 000011